(57)【要約】【課題】  ストロボ発光時にシュリンクフィルムが加熱され、収縮し白化して、ストロボの光量が減少するといった問題が生ずることがないようにしたレンズ付きフィルムユニット。【解決手段】  簡易な撮影機構を内蔵し、未露光のフィルムを予め装填したレンズ付きフィルムユニットにおいて、前記撮影機構を被覆する外装部材の一部若しくは全体と、少なくともストロボ光を透過して照射するストロボパネルとをシュリンクフィルムにて被覆し、前記ストロボパネルと前記シュリンクフィルムとの間に措定の間隙を設けたこと。【選択図】        図２
2005338227.tif 000002
【特許請求の範囲】
【請求項１】
簡易な撮影機構を内蔵し、未露光のフィルムを予め装填したレンズ付きフィルムユニットにおいて、
前記撮影機構を被覆する外装部材の一部若しくは全体と、少なくともストロボ光を透過して照射するストロボパネルとをシュリンクフィルムにて被覆し、
前記ストロボパネルと前記シュリンクフィルムとの間に措定の間隙を設けたことを特徴とするレンズ付きフィルムユニット。
【請求項２】
前記間隙が０．５ｍｍ以上であることを特徴とする請求項１に記載のレンズ付きフィルムユニット。
【請求項３】
前記ストロボパネルに対向するシュリンクフィルムの部分に所定の貫通孔を設けたことを特徴とする請求項１又は請求項２に記載のレンズ付きフィルムユニット。
【請求項４】
前記ストロボパネルに対向するシュリンクフィルムの部分の面積に対する前記貫通孔の総面積は５％以上、２０％以下であることを特徴とする請求項３に記載のレンズ付きフィルムユニット。
【発明の詳細な説明】
【技術分野】
【０００１】
本発明は、簡易な撮影機構を内蔵し、未露光のフィルムを予め装填したレンズ付きフィルムユニットに関する。
【背景技術】
【０００２】
手軽に撮影できるように、簡易な撮影機構を内蔵し、未露光のフィルムを予め装填したレンズ付きフィルムユニットが広く用いられている。
【０００３】
ユーザーがレンズ付きフィルムユニットを用いて撮影をすると、現像とプリントを写真店やＤＰＥ店に依頼するが、これらの店では依頼されたレンズ付きフィルムユニットをラボに送る。ラボでは後カバーを外してフィルムを取り出し、現像処理を行うが、メーカーはフィルムを取り出したカメラ部分を回収し、各ユニット及び部品毎に分解して検査を行う。そして、使用可能なユニットや部品については新たに生産するレンズ付きフィルムユニットに再び使用し（リユース）、使用不可能になったユニットや部品については解体して粉砕し、ペレットにして再度成型（リサイクル）している。
【０００４】
また、レンズ付きフィルムユニットにはストロボを内蔵したものがあり、室内や夜間の低輝度な状態でも良好に撮影することができる。
【０００５】
更に、レンズ付きフィルムユニットの一部若しくは全体をシュリンクフィルムで被覆し、防塵性や防滴性を向上させたり、リユース性を向上させたりしたものがある（例えば、特許文献１〜３参照）。
【特許文献１】特開平５−２６５１４１号公報
【特許文献２】特開平９−６１９６９号公報
【特許文献３】実開平３−６０３４２号公報
【発明の開示】
【発明が解決しようとする課題】
【０００６】
ストロボを内蔵したレンズ付きフィルムユニットにおいては、キセノン管で発光し反射傘で反射したストロボ光を透過して照射すると共に、キセノン管や反射傘を被覆・保護するストロボパネルが外部に配置されている。
【０００７】
このようなストロボ内蔵レンズ付きフィルムユニットの一部若しくは全体をシュリンクフィルムで被覆し、防塵性や防滴性を向上させたり、リユース性を向上させたりしようとする場合、ストロボパネルもシュリンクフィルムで被覆することになる。
【０００８】
この場合、ストロボ発光時にキセノン管より発生する熱によってストロボパネルと反射傘とで略密閉された空間の空気が加熱され、この結果、ストロボパネルも加熱される。従って、ストロボパネルとシュリンクフィルムとが密着していると、シュリンクフィルムも加熱され、これによりシュリンクフィルムが収縮し、白化してしまって、ストロボの光量が減少するといった問題が生ずる。
【０００９】
本発明はかかる問題に鑑みてなされたものであり、ストロボ内蔵レンズ付きフィルムユニットの一部若しくは全体と、少なくともストロボパネルとをシュリンクフィルムで被覆した場合に、ストロボ発光時にシュリンクフィルムが加熱され、収縮し白化して、ストロボの光量が減少するといった問題が生ずることがないようにしたレンズ付きフィルムユニットを提供することを目的とする。
【課題を解決するための手段】
【００１０】
上記目的は下記の手段により達成される。
【００１１】
簡易な撮影機構を内蔵し、未露光のフィルムを予め装填したレンズ付きフィルムユニットにおいて、前記撮影機構を被覆する外装部材の一部若しくは全体と、少なくともストロボ光を透過して照射するストロボパネルとをシュリンクフィルムにて被覆し、前記ストロボパネルと前記シュリンクフィルムとの間に措定の間隙を設けたことを特徴とするレンズ付きフィルムユニット。
【発明の効果】
【００１２】
請求項１，２に記載のレンズ付きフィルムユニットによれば、ストロボパネルにシュリンクフィルムが密着せずに所定の間隙を設けてあるので、ストロボ発光時にシュリンクフィルムが加熱されることが少なく、従来の如きシュリンクフィルムが収縮し白化して、ストロボの光量が減少するといった問題は生じない。
【００１３】
請求項３，４に記載のレンズ付きフィルムユニットによれば、ストロボパネルに対向するシュリンクフィルムの部分に所定の貫通孔を設けたので、ストロボパネルとシュリンクフィルムとの間の空気が外部に逃げ、更にシュリンクフィルムが加熱されることが少ない。
【発明を実施するための最良の形態】
【００１４】
本発明のレンズ付きフィルムユニットにおける実施の形態を、図１及び図２を参照して説明する。図１はシュリンクフィルムを被覆したレンズ付きフィルムユニットの斜視図、図２はストロボ発光部の断面図である。
【００１５】
図１において、前面には撮影レンズ１、ファインダ対物レンズ窓２、ストロボパネル３、ストロボ用ボタン４が配置され、上面にはレリーズボタン５、指数器窓６、充電表示窓７が配置され、背面には巻上げノブ８が配置されている。そして、内部には未露光のフィルムが生産工程で予め装填されている。
【００１６】
通常の撮影時には巻上げノブ８でフィルムを巻き上げると共にシャッタチャージし、背面にあって不図示のファインダ接眼レンズ窓からファインダ対物レンズ窓２を通して被写体を覗いて構図を定め、レリーズボタン５を押下すれば、被写体の光像が撮影レンズ１によってフィルムに結像される。そして、撮影コマ数を指数器窓６で確認することができる。
【００１７】
ストロボ撮影時には、ストロボ用ボタン４を押圧すれば、ストロボの充電が開始し、充電が完了すれば、充電表示窓７が点灯する。同様に、レリーズボタン５を押下すれば、図２に示す内部のキセノン管２１で発光し反射傘２２で反射したストロボ光がストロボパネル３を透過して被写体に照射するので、室内や夜間の低輝度の状態でも適正な露出が得られる。なお、ストロボパネル３は内部のキセノン管２１や反射傘２２を被覆・保護すると共に、反射傘２２でも反射制御できずに画角外に拡散するストロボ光を画角内に集光するように、フレネルレンズ状に形成されている。
【００１８】
また、ストロボ用ボタン４から手を離しても充電は続行する。その後、フル充電になると自然に充電が停止するが、ストロボ撮影を行わずにいると、充電電圧が低下する。従って、このときストロボ撮影を行うためには、再びストロボ用ボタン４を押圧すればよい。
【００１９】
このような作動を行う各種の簡易な撮影機構が内部に収容されているが、これらの撮影機構を外装部材１０で被覆し、更に外装部材１０等をシュリンクフィルム１１にて被覆している。シュリンクフィルム１１は熱によって収縮する性質を有しており、外装部材１０を被覆した後、熱を加えることにより収縮して外装部材１０に密着する。そして、シュリンクフィルム１１は外装部材１０の全体と、少なくともストロボパネル３を被覆する。
【００２０】
なお、シュリンクフィルム１１における撮影レンズ１、ファインダ対物レンズ窓２、不図示のファインダ接眼レンズ窓、ストロボ用ボタン４、レリーズボタン５、指数器窓６、充電表示窓７及び巻上げノブ８と対向する部分には孔が空けられているので、これらの作動に支障を来すことはない。
【００２１】
また、シュリンクフィルム１１には予め所定の色で着色が施されているので、生産上の理由で外装部材１０に設けた孔や窪み、外装部材１０のヒケ、パーティングライン、ウエルドライン、２部品の接触部の間隙、内部部品を螺設したネジ頭等の見苦しい所が隠されている。
【００２２】
更に、シュリンクフィルム１１には所定の意匠が施され、商品名や簡単な撮影方法の記載と共に印刷されている。
【００２３】
従って、従来のレンズ付きフィルムユニットに設けられていた紙カバーやラベルは不要である。
【００２４】
なお、シュリンクフィルム１１に無色透明な材料を用い、ファインダ対物レンズ窓２、ファインダ接眼レンズ窓、指数器窓６、充電表示窓７等に対向する部分には孔を空けないで、そのまま視認するようにしてもよい。
【００２５】
以上の如くシュリンクフィルム１１を外装部材１０に被覆することによって、シュリンクフィルム１１は外装部材１０に密着し、従来より防塵性や防滴性を向上させることができる。この結果、内部の部品やユニットの損傷が少なくなり、リユース可能な部品やユニットが増加して、リユース性が向上する。また、従来は紙カバーやラベルで外装部材の一部のみを被覆していたので、ユーザーによって疵等が付いてリユース不可能な外装部材が多かったが、シュリンクフィルム１１で外装部材１０の全体を被覆することにより、ユーザーによる疵等は大幅に減少し、リユース性が向上する。
【００２６】
ここで、キセノン管２１を内包した反射傘２２はストロボパネル３によって密閉されているので、ストロボ発光時にキセノン管２１より発生する熱によってストロボパネル３と反射傘２２とで略密閉された空間の空気が加熱される。この結果、ストロボパネル３も加熱される。
【００２７】
しかし、本実施の形態においてはストロボパネル３とシュリンクフィルム１１が密着しておらず、所定の間隙Ｄを有しているので、ストロボパネル３の熱はシュリンクフィルム１１に伝わり難い。なお、間隙Ｄは０．５ｍｍ以上、４ｍｍ以下であることが望ましく、０．５ｍｍ以下であると、ストロボパネル３の熱がシュリンクフィルム１１に伝わり易くなり、４ｍｍ以上であると、レンズ付きフィルムユニットの厚みが厚くなって、商品的に好ましくない。
【００２８】
更に、図３に示す如く、ストロボパネル３に対向するシュリンクフィルム１１の部分に複数の貫通孔１１ａを設け、ストロボパネル３とシュリンクフィルム１１との間の熱を外に逃がすようにしてもよい。なお、ストロボパネル３に対向するシュリンクフィルム１１の部分の面積に対する貫通孔１１ａの総面積は５％以上、２０％以下であることが望ましい。
【００２９】
なお、５％以下であると、放熱効果が低く、収縮・白化の可能性があり、実験では３％で白化が生じた。また、２０％以上であると、貫通孔の割合が多くなるので、防塵・防滴の効果が望めない。
【００３０】
また、場合によってはシュリンクフィルム１１で外装部材１０の全体を必ずしも被覆しなくてもよく、側面、背面若しくは底面の一部に被覆しない部分があってもよい。
【００３１】
また、リユースの際にシュリンクフィルム１１を剥がすことを考慮して、底面等のユーザーの手が触れ難い所に、煙草の箱を覆う透明シートの取り出し口に設けられているような紐を設けてもよい。この紐を引くことによってシュリンクフィルム１１を簡単に破くことができる。
【図面の簡単な説明】
【００３２】
【図１】シュリンクフィルムを被覆したレンズ付きフィルムユニットの斜視図である。
【図２】ストロボ発光部の断面図である。
【図３】複数の貫通孔を設けたシュリンクフィルムの部分拡大図である。
【符号の説明】
【００３３】
３  ストロボパネル
１０  外装部材
１１  シュリンクフィルム
１１ａ  貫通孔
２１  キセノン管
２２  反射傘
Ｄ  間隙
【図１】
2005338227.tif 000003
【図２】
2005338227.tif 000004
【図３】
2005338227.tif 000005